(57)【特許請求の範囲】
【請求項１】
粘性液を収容しその先端に粘性液塗布のための先端塗布体を有する液体容器の先端部に着脱可能に被着され、該先端塗布体を保護する液体容器のキャップであって、
キャップ本体と、キャップ本体の奥部に収容され、前記先端塗布体の乾燥を防止する溶剤を含浸させた溶剤含浸材と、キャップ本体内に固定され、該溶剤含浸材をキャップ本体の手前部と区画する仕切り部材と、該仕切り部材の径方向ほぼ中央部に設けられ溶剤含浸材からの溶剤蒸気を流出させる溶剤流出手段と、キャップ本体の手前部に配設され、該溶剤流出手段を開閉する開閉部材と、開閉部材を常時、溶剤流出手段を閉じる方向へ付勢する付勢手段と、前記開閉部材の内部に固定される内キャップと、が備えられ、該内キャップの外面と前記開閉部材の内面との間に、前記溶剤流出手段からの溶剤蒸気が通過する溶剤通路が画成され、さらに該溶剤通路と前記先端塗布体とを連通する第２溶剤通路が内キャップの外面と内面との間に形成され、キャップが液体容器に被着された時に、液体容器が前記溶剤流出手段を開く方向に前記開閉部材を押圧すると共に、前記先端塗布体が前記内キャップの内部に挿入され、溶剤含浸材からの溶剤蒸気が溶剤流出手段、前記溶剤通路及び第２溶剤通路を通り先端塗布体へと到達することを特徴とする液体容器のキャップ。
【請求項２】
前記第２溶剤通路は、内キャップの鍔部の周囲とすることを特徴とする請求項１記載の液体容器のキャップ。
【請求項３】
前記内キャップの鍔部は、径方向外方へ広がっていることを特徴とする請求項２記載の液体容器のキャップ。
【請求項４】
前記第２溶剤通路は、内キャップの周面に形成された開口であることを特徴とする請求項１記載の液体容器のキャップ。
【請求項５】
前記溶剤流出手段は、仕切り部材の径方向ほぼ中央部に形成された貫通孔と、該貫通孔を摺動する筒状部とから構成され、筒状部にはキャップ本体の奥部と前記溶剤通路とを連通する孔が形成されており、さらに、仕切り部材の貫通孔の周囲はキャップ本体の奥部の方へ突出した突出縁となっていることを特徴とする請求項１ないし４のいずれか１項に記載の液体容器のキャップ。
【請求項６】
前記突出縁には、キャップの中心軸方向へ傾斜した傾斜面と、該傾斜面の最も中心軸寄りの所にあってキャップの中心軸と直交する平坦面とが形成されており、該平坦面が前記筒状部の先端に形成された鍔と当接可能であることを特徴とする請求項５記載の液体容器のキャップ。
【請求項７】
前記溶剤流出手段は、仕切り部材の径方向ほぼ中央部に形成された貫通孔と、該貫通孔を摺動する筒状部と、筒状部と別体に形成され筒状体の先端側に一体に連結される鍔部とから構成され、筒状部にはキャップ本体の奥部と前記溶剤通路とを連通する孔とが形成されており、さらに、仕切り部材の貫通孔の周囲はキャップ本体の奥部の方へ突出した突出縁となっており、前記突出縁が前記鍔部と密着的に当接可能であることを特徴とする請求項１ないし４のいずれか１項記載の液体容器のキャップ。
【発明の詳細な説明】
【０００１】
【発明の属する技術分野】
本発明は、例えば、化粧用マニュキア液や修正液等の粘性液を収容し、その先端に粘性液塗布のための先端塗布体を有する液体容器に被着されるキャップに関する。
【０００２】
【従来の技術】
従来、この種の液体容器のキャップとしては、実用新案登録番号第２５２１９３６号公報に記載されたものがある。かかる公報に記載されたキャップは、キャップ本体と、キャップ本体の先端内部に仕切り部材を介して区画形成された収容部と、収容部内に収納された溶剤含浸材と、仕切り部材のほぼ中央箇所に設けられ、溶剤含浸材からの溶剤を収容部からキャップの内部下方へと流通させる液体流通手段と、キャップの内部下方に配置され、液体流通手段を開成する開閉成機構と、仕切り部材と開閉成機構との間に配置される付勢手段と、を備えている。そして、キャップが液体容器から取り外されているときには、付勢手段が開閉成機構を液体流通閉成位置へと付勢させるために、溶剤含浸材からの溶剤の蒸発流出が阻止される。一方、キャップが液体容器に被着されているときには、付勢手段が収縮して、開閉成機構を液体流通開成装置へと移動させるため、溶剤含浸材からの溶剤蒸気が液体容器の先端塗布体へと流出し、先端塗布体の乾燥防止が図られるようになっている。
【０００３】
【発明が解決しようとする課題】
しかしながら、かかる従来の液体容器のキャップでは、開閉成機構が、具体的には、液体容器の先端塗布体が収容される空間内に連通する通孔などによって構成されているため、キャップが被着されている状態で液体容器の先端塗布体から粘性液が飛び出した場合などに、この通孔で粘性液が詰まり、通孔が塞がれるおそれがあるという問題がある。
【０００４】
本発明は上記課題に鑑みなされたもので、本発明は、キャップが液体容器に被着されている状態で、溶剤蒸気の供給が阻害されないような液体容器のキャップを提供することをその目的とする。
【０００５】
【課題を解決するための手段】
上記目的を達成するために本発明のうち請求項１記載の発明では、粘性液を収容しその先端に粘性液塗布のための先端塗布体を有する液体容器の先端部に着脱可能に被着され、該先端塗布体を保護する液体容器のキャップであって、
キャップ本体と、キャップ本体の奥部に収容され、前記先端塗布体の乾燥を防止する溶剤を含浸させた溶剤含浸材と、キャップ本体内に固定され、該溶剤含浸材をキャップ本体の手前部と区画する仕切り部材と、該仕切り部材の径方向ほぼ中央部に設けられ溶剤含浸材からの溶剤蒸気を流出させる溶剤流出手段と、キャップ本体の手前部に配設され、該溶剤流出手段を開閉する開閉部材と、開閉部材を常時、溶剤流出手段を閉じる方向へ付勢する付勢手段と、前記開閉部材の内部に固定される内キャップと、が備えられ、該内キャップの外面と前記開閉部材の内面との間に、前記溶剤流出手段からの溶剤蒸気が通過する溶剤通路が画成され、さらに該溶剤通路と前記先端塗布体とを連通する第２溶剤通路が内キャップの外面と内面との間に形成され、キャップが液体容器に被着された時に、液体容器が前記溶剤流出手段を開く方向に前記開閉部材を押圧すると共に、前記先端塗布体が前記内キャップの内部に挿入され、溶剤含浸材からの溶剤蒸気が溶剤流出手段、前記溶剤通路及び第２溶剤通路を通り先端塗布体へと到達することを特徴とする。
【０００６】
キャップが液体容器から取り外されているときには、付勢手段が溶剤流出手段を閉じる方向へ開閉部材を付勢するため、溶剤含浸材からの溶剤の蒸発流出が阻止される。一方、キャップが液体容器に被着されているときには、液体容器が前記溶剤流出手段を開く方向に前記開閉部材を押圧するため、溶剤含浸材からの溶剤蒸気が溶剤流出手段、開閉部材と内キャップとの間に形成された溶剤通路、及び内キャップの外面と内面との間に形成された第２溶剤通路を通り、先端塗布体へと到達し、先端塗布体に湿りを与え、先端塗布体の乾燥を阻止する。先端塗布体が内キャップの内部に挿入されているため、先端塗布体から飛び出した粘性液は、主に内キャップ内へと飛散するが、溶剤流出手段、溶剤通路へと到達することはなく、これらを詰まらせることはない。第２溶剤通路は、その通路断面積を大きくとるか、またはその位置を先端塗布体の基部より液体容器側に位置付けることによって、先端塗布体から飛び出した粘性液で第２溶剤通路を詰まらせることがないようにすることができる。
【０００７】
また、請求項２記載の発明は、請求項１記載のものにおいて、前記第２溶剤通路が、内キャップの鍔部の周囲とすることを特徴とする。
【０００８】
また、請求項３記載の発明は、請求項２記載のものにおいて、前記内キャップの鍔部が、径方向外方へ広がっていることを特徴とする。
【０００９】
また、請求項４記載の発明は、請求項１記載のものにおいて、前記第２溶剤通路が、内キャップの周面に形成された開口であることを特徴とする。
【００１０】
また、請求項５記載の発明は、請求項１ないし４のいずれか１項に記載のものにおいて、前記溶剤流出手段が、仕切り部材の径方向ほぼ中央部に形成された貫通孔と、該貫通孔を摺動する筒状部とから構成され、筒状部にはキャップ本体の奥部と前記溶剤通路とを連通する孔が形成されており、さらに、仕切り部材の貫通孔の周囲はキャップ本体の奥部の方へ突出した突出縁となっていることを特徴とする。
【００１１】
また、請求項６記載の発明は、請求項５記載のものにおいて、前記突出縁には、キャップの中心軸方向へ傾斜した傾斜面と、該傾斜面の最も中心軸寄りの所にあってキャップの中心軸と直交する平坦面とが形成されており、該平坦面が前記筒状部の先端に形成された鍔と当接可能であることを特徴とする。
【００１２】
また、請求項７記載の発明は、請求項１ないし４のいずれか１項に記載のものにおいて、前記溶剤流出手段が、仕切り部材の径方向ほぼ中央部に形成された貫通孔と、該貫通孔を摺動する筒状部と、筒状部と別体に形成され筒状体の先端側に一体に連結される鍔部とから構成され、筒状部にはキャップ本体の奥部と前記溶剤通路とを連通する孔とが形成されており、さらに、仕切り部材の貫通孔の周囲はキャップ本体の奥部の方へ突出した突出縁となっており、前記突出縁が前記鍔部と密着的に当接可能であることを特徴とする。
【００１３】
【発明の実施の形態】
以下、図面を用いて本発明の実施の形態を説明する。
【００１４】
図１ないし図６は本発明の第１実施形態を表す図である。
【００１５】
図において、符号４０は液体容器であり、液体容器４０は、外筒４２と、外筒４２内に配設され、例えば、化粧用マニュキア液や修正液等の粘性液が収容されたタンク部４４と、このタンク部４４の先端に固定されたホルダ部４６と、タンク部４４内を伸長するノックバー４８と、ノックバー４８の先端にその後端が圧入固定されると共に先端側がホルダ部４６を貫通する誘導バー５０と、外筒４２に対してノック可能に取り付けられてタンク部４４の後端を覆うノックキャップ５２と、ホルダ部４６に固定された先具５４と、ホルダ部４６とノックバー４８との間に介挿されノックバー４８を後方へ付勢するバネ５６と、ホルダ部４６に固定されその内部を誘導バー５０が摺動する誘導パイプ５８と、先具５４内にその基端が固定され先具５４から突出する先端塗布体である刷毛６０と、を有している。
【００１６】
タンク部４４の後端部には蛇腹状の伸縮部４４ａが形成されている。この液体容器４０を使用する場合には、後述のキャップ１２を取り外して、ノックキャップ５２をノックすると、タンク部４４が押されて上記伸縮部４４ａが収縮し、バネ５６の付勢力に抗してノックバー４８及び誘導バー５０が前進する。これにより、ノックバー４８がタンク部４４内の粘性液を、ホルダ部４６と誘導バー５０との隙間及び誘導パイプ５８と誘導バー５０との隙間へと押出して、刷毛６０へと供給するため、刷毛６０により塗布を行うことができるようになっている。なお、ホルダ部４６と誘導バー５０との隙間及び誘導パイプ５８と誘導バー５０との隙間を粘性液が円滑に流通するために、これらの隙間を大きくするべく、誘導バー５０は図６に示したように断面十字状となっている。また、ノックバー４８の外側には、攪拌リング６２が遊びをもって遊嵌されており、攪拌リング６２がタンク部４４内で軸方向及び径方向に移動することで、タンク部４４内の粘性液を攪拌することができるようになっている。この攪拌リング６２の外径はタンク部４４の先端にある出入口の内径と同じかまたはそれ以下となっており、ノックバー４８と共にタンク部４４内へと組み込むことができる。
【００１７】
符号１２は、不使用時の刷毛６０を保護するために、液体容器４０の先端部に着脱可能に被着される本発明に係るキャップであり、１３はキャップ本体である。キャップ本体１３の奥部１３ａには、粘性液と同一の液または希釈液等からなる溶剤を含浸させた、例えばフェルト、綿からなる溶剤含浸材１４が設けられている。
【００１８】
キャップ本体１３内には、仕切り部材１６が固定されており、この仕切り部材１６によって、キャップ本体１３の奥部１３ａと手前部１３ｂとが仕切られて、溶剤含浸材１４が手前部１３ｂと区画される。仕切り部材１６の径方向ほぼ中央部には、貫通孔１６ａが形成されており、貫通孔１６ａの周囲は、奥部１３ａへと突出した突出縁１６ｂとなっており、この突出縁１６ｂの内側には、キャップ１２の中心軸方向へ傾斜した傾斜面１６ｃと、傾斜面１６ｃの最も中心軸寄りの所にあってキャップ１２の中心軸と垂直な平坦面１６ｄとが形成されている。
【００１９】
この貫通孔１６ａを筒状部１８が摺動可能に挿通しており、貫通孔１６ａと筒状部１８とで溶剤流出手段を構成している。この筒状部１８には、横孔１８ｂと、該横孔１８ｂに一端が連通する縦孔１８ｃとが形成されている。また、筒状部１８の突出端に形成された鍔１８ｄが仕切り部材１６の突出縁１６ｂの前記平坦面１６ｄに当接可能となっており、筒状部１８が仕切り部材１６から抜け出すことができないようになっている。
【００２０】
この筒状部１８は、仕切り部材１６の手前部１３ｂに配設された筒状の開閉部材１９と一体に形成されている。前記縦孔１８ｃの他端は、開閉部材１９の内部に連通している。開閉部材１９と仕切り部材１６との間には、付勢手段であるバネ２４が介挿されており、バネ２４によって開閉部材１９は常時、仕切り部材１６から離反する方向へ付勢されている。これによって、筒状部１８が仕切り部材１６よりも手前部１３ｂへ向かう方向へ付勢される。
【００２１】
さらに、開閉部材１９の内面には、複数（図の例では４個）のリブ１９ｅ、１９ｅ’（図３及び図４参照）が形成されており、このリブ１９ｅ、１９ｅ’に圧接するようにして、開閉部材１９の内部に内キャップ２０が固定されている。開閉部材１９の内面と内キャップ２０の外面との間には、リブ１９ｅ、１９ｅ’が形成されていない所で、隙間が画成されており、この隙間が前記筒状部材１８の縦孔１８ｃの他端と連通する溶剤通路２２となっている。
【００２２】
内キャップ２０の鍔部２０ａは、径方向外方へと広がっており、内キャップ２０の内部空間は、刷毛６０が挿入するための空間となっている。この鍔部２０ａが、内キャップ２０の外面と内面とを連通する第２溶剤通路を構成している。
【００２３】
また、キャップ本体１３の頂部には、透明キャップ２６が装着されている。そして、キャップ本体１３の頂面１３ｃに、例えば、液体容器４０に収容される粘性液の色を付しておくか、または粘性液自体を塗布しておくことにより、使用者がキャップ１２をしたまま粘性液の色を認識できるようになっている。
【００２４】
以上のように構成されるキャップ１２においては、図５に示したように、キャップ１２が液体容器４０から取り外されているときには、バネ２４によって、開閉部材１９は仕切り部材１６から離反する方向へ押圧され、筒状部１８の鍔１８ｄが仕切り部材１６の突出縁１６ｂの前記平坦面１６ｄに当接する。このとき、筒状部１８の横孔１８ｂは、キャップ本体１３の奥部１３ａから脱出するため、キャップ本体１３の奥部１３ａは密閉され、溶剤含浸材１４からの溶剤の蒸発流出が阻止される。
【００２５】
キャップ１２が液体容器４０に被着されているときには、図２に示したように、液体容器４０の刷毛６０の先端が内キャップ２０の内部空間に挿入され、且つ液体容器４０の先具５４が、開閉部材１９をバネ２４の付勢力に抗してキャップ本体１３の奥部１３ａの方向へと押圧するため、筒状部１８の横孔１８ｂが、キャップ本体１３の奥部１３ａと連通し、溶剤含浸材１４からの溶剤蒸気が横孔１８ｂ、縦孔１８ｃ、溶剤通路２２を通り、内キャップ２０の鍔部２０ａを回り込んで、液体容器４０の刷毛６０へと到達し、刷毛６０に湿りを与え乾燥を阻止する。このキャップ１２が液体容器４０に被着されている状態で、液体容器４０が不用意にノックされたりして、刷毛６０から粘性液が飛び出したとしても、粘性液は内キャップ２０の内部へと飛散するが、溶剤蒸気の流通通路へと飛散することはなく、内キャップ２０の内面に付着して固化することはあっても、該流通通路を塞ぐことはない。
【００２６】
また、キャップ本体１３の手前部１３ｂを奥部１３ａよりも下側にした状態で、キャップ１２が液体容器４０に被着されている場合に、溶剤含浸材１４の溶剤が下方向に移動して、液体の状態で横孔１８ｂを通って、仕切り部材１６よりも手前部１３ｂへ流れ出すおそれがあるが、突出縁１６ｂが奥部１３ａの方へ突出しているため、多くの溶剤は突出縁１６ｂよりも下方となる突出縁１６ｂの外周囲で滞留することになり、溶剤液体が流れ出すことはない。
【００２７】
また、筒状部１８が貫通孔１６ａを摺動する場合に、径方向のぶれがあったとしても、突出縁１６ｂには、傾斜面１６ｃが形成されているため、この傾斜面１６ｃでその変位を矯正することができ、確実に筒状部１８の鍔１８ｄを平坦面１６ｄへと誘導することができる。
【００２８】
また、内キャップ２０の鍔部２０ａは、径方向外方へと広がっているため、キャップ１２を液体容器４０へと被着するときに、刷毛６０に鍔部２０ａが干渉して、刷毛６０を損傷させることを防止することができる。但し、刷毛６０または先端塗布体との干渉のおそれがない場合には、必ずしも鍔部２０ａを径方向外方へ広げる必要はない。
【００２９】
次に、図７ないし図１２は本発明の第２実施形態を表す図である。
【００３０】
図において、符号１４０は液体容器であり、液体容器１４０は、例えば、化粧用マニュキア液や修正液等の粘性液が収容されたタンク部を兼ねる外筒１４２と、この外筒１４２の先端に固定された先具１４４と、外筒１４２内を伸長するノックバー１４８と、ノックバー１４８の先端にその後端が圧入固定されると共に先端側が外筒１４２を貫通する誘導バー１５０と、外筒１４２の後端に固定された尾栓１５２と、尾栓１５２の後端に嵌着される後リング１５４と、尾栓１５２と後リング１５４との間で挟着される蛇腹状の伸縮体１５６と、外筒１４２に対してノック可能となり伸縮体１５６の後端を覆うノックキャップ１５８と、外筒１４２の内部の段面とノックバー１４８との間に介挿されノックバー１４８を後方へ付勢するバネ１６０と、先具１４４内にその基端が固定され先具１４４から突出する先端塗布体である刷毛１６２と、外筒１４２内で自由に移動できるようになった攪拌体１６４と、を有している。
【００３１】
外筒１４２、ノックバー１４８、尾栓１５２等の粘性液に直接接触する部品は、ポリアミド樹脂またはポリアクリロニトリル系熱可塑性樹脂等を用いることができる。
【００３２】
尾栓１５２、後リング１５４及び伸縮体１５６は、ユニットとなっており、伸縮体１５６の先端を挟み込んだ状態で、後リング１５４を尾栓１５２に嵌着することで、予め組み立てておくことができる。また、これらに加えて、ノックキャップ１５８を後リング１５４に係止させてユニットを構成することとしてもよい。
全体の組立は、外筒１４２に対して、ノックバー１４８、誘導バー１５０及びバネ１６０を挿入し、外筒１４２の先端に、刷毛１６２と先具１４４を取付け、後述のキャップ１１２を被着する。そして、外筒１４２を、キャップ１１２を下にして、上下に起立させた状態で、外筒１４２の後方から粘性液を充填し、前記予め組み立てておいた尾栓１５２、後リング１５４及び伸縮体１５６のユニットを外筒１４２の後方から圧入することで、液体容器１４０全体の組み立てを行うことができる。
【００３３】
図１２に詳細に示したように、外筒１４２の先部の内周面には、複数のリブ１４２ａが形成されており、リブ１４２ａよりも後方は外筒１４２の内径が大きくなった拡径部１４２ｂ、リブ１４２ａよりも前方はリブ１４２ａと同じ高さで連続する内径が拡径部１４２ｂより小さくなった縮径部１４２ｃ、となっている。一方、前記ノックバー１４８の先端には、縮径部１４２ｃとほぼ一致する外径となった拡径部１４８ａが形成されている。常時は、バネ１６０の付勢力により、後方へ付勢されたノックバー１４８の拡径部１４８ａが、リブ１４２ａの形成された箇所またはリブ１４２ａよりもやや後方に位置づけられている。
【００３４】
この液体容器１４０を使用する場合には、後述のキャップ１１２を取り外して、ノックキャップ１５８をノックすると、伸縮体１５６が収縮し、バネ１６０の付勢力に抗してノックバー１４８及び誘導バー１５０が前進する。これにより、ノックバー１４８の拡径部１４８ａが外筒１４２のリブ１４２ａに摺接しながら、前進し、さらに縮径部１４２ｃに摺接する。これにより、縮径部１４２ｃにおいて、ノックバー１４８及び／または誘導バー１５０と縮径部１４２ｃとの間に密閉室が形成され、該密閉室内にある粘性液が、ポンプ作用により前方へと押出されて、誘導バー１５０の前進と共に外筒１４２から流出して刷毛１６２へと供給される。こうして、刷毛１６２により塗布を行うことができる。
【００３５】
ところで、不使用時に、誤ってノックキャップ１５８をノックしてしまうと、不用意に粘性液が刷毛１６２から飛び出してしまい好ましくない。しかしながら、ノックバー１４８は、ノックの初期段階では、外筒１４２のリブ１４２ａと摺接するため、外筒１４２と、ノックバー１４８及び／または誘導バー１５０との間に密閉室が形成されないため、刷毛１６２からの不用意な排出を防ぐことができるようになっている。リブ１４２ａを設けることにより、ノックバー１４８がリブ１４２ａに摺接して安定して軸方向に移動することができると共に、リブ１４２ａの長さを適当に設定することにより、ポンプ作用が開始するまでの遊びを調整することができる。
【００３６】
符号１１２は、不使用時の刷毛１６２を保護するために、液体容器１４０の先端部に着脱可能に被着される本発明に係るキャップであり、１１３はキャップ本体である。キャップ本体１１３の奥部１１３ａには、粘性液と同一の液または希釈液等からなる溶剤を含浸させた、例えばフェルト、綿からなる溶剤含浸材１１４が設けられている。
【００３７】
キャップ本体１１３内には、仕切り部材１１６が固定されており、この仕切り部材１１６によって、キャップ本体１１３の奥部１１３ａと手前部１１３ｂとが仕切られて、溶剤含浸材１１４が手前部１１３ｂと区画される。仕切り部材１１６の径方向ほぼ中央部には、貫通孔１１６ａが形成されており、貫通孔１１６ａの周囲は、奥部１１３ａへと突出した突出縁１１６ｂとなっており、この突出縁１１６ｂの内側には、キャップ１１２の中心軸方向へ傾斜した傾斜面１１６ｃと、傾斜面１１６ｃの最も中心軸寄りの所にあってキャップ１１２の中心軸と垂直な平坦面１１６ｄとが形成されている。
【００３８】
この貫通孔１１６ａを筒状部１１８が摺動可能に挿通しており、さらにこの筒状部１１８と別体に形成された鍔部１１７が筒状部１１８の先端側に一体に圧入されており、これら貫通孔１１６ａ、筒状部１１８及び鍔部１１７とで溶剤流出手段を構成している。この筒状部１１８には、横孔１１８ｂと、該横孔１１８ｂに一端が連通する縦孔１１８ｃとが形成されている。縦孔1１８ｃは、図９（ｂ）に示したように、円形の一部が切り欠かれた小判状形状をなしており、一方の鍔部１１７は、この縦孔１１８ｃに圧入されるべく、縦孔１１８ｃの形状に対応した横断面小判状形状（図１０（ｂ）参照）をした突出部１１７ａを有している。そして、この突出部１１７ａの長手方向に沿って、横孔１１８ｂと連通する連通溝１１７ｂが形成されている。
【００３９】
鍔部１１７は、仕切り部材１１６の突出縁１１６ｂの前記平坦面１１６ｄに密着当接可能となっており、鍔部１１７と一体に連結される筒状部１１８が仕切り部材１１６から抜け出すことができないようになっている。
【００４０】
この筒状部１１８は、仕切り部材１１６の手前部１１３ｂに配設された筒状の開閉部材１１９と一体に形成されている。前記縦孔１１８ｃの他端は、開閉部材１１９の内部に連通している。開閉部材１１９と仕切り部材１１６との間には、付勢手段であるバネ１２４が介挿されており、バネ１２４によって開閉部材１１９は常時、仕切り部材１１６から離反する方向へ付勢されている。これによって、筒状部１１８が仕切り部材１１６よりも手前部１１３ｂへ向かう方向へ付勢される。
【００４１】
さらに、開閉部材１１９の内面には、複数のリブ１１９ｅ、１９ｅ’（図９参照）が形成されており、このリブ１１９ｅ、１１９ｅ’に圧接するようにして、開閉部材１１９の内部に内キャップ１２０が固定されている。開閉部材１１９の内面と内キャップ１２０の外面との間には、リブ１１９ｅ、１１９ｅ’が形成されていない所で、隙間が画成されている。この隙間が、前記筒状部１１８の縦孔１１８ｃと前記鍔部１１７に形成された連通溝１１７ｂとによって形成される通路に連通する溶剤通路１２２となっている。
【００４２】
内キャップ１２０には、図１１に示すように、その長手方向中央部に径方向外方へと広がるテーパー部１２０ａが形成されており、このテーパー部１２０ａに周方向に離間されて、複数の開口１２０ｂが形成されて、この開口１２０ｂが、内キャップ１２０の外面と内面とを連通する第２溶剤通路を構成している。内キャップ１２０の内部空間は、刷毛１６２が挿入するための空間となっている。
【００４３】
以上のように構成されるキャップ１１２は、キャップ本体１１３を除き、他の部品である溶剤含浸材１１４、仕切り部材１１６、鍔部１１７、筒状部１１８、開閉部材１１９及び内キャップ１２０を予め組み立てたユニットとし、このユニットをキャップ本体１１３に押し入れることで、キャップ１１２全体を組み立てることができる。
【００４４】
この実施形態におけるキャップ１１２においても、第１実施形態と同様に、キャップ１１２が液体容器１４０から取り外されているときには、バネ１２４によって、開閉部材１１９は仕切り部材１１６から離反する方向へ押圧され、鍔部１１７が仕切り部材１１６の突出縁１１６ｂの前記平坦面１１６ｄに密着当接する。このとき、筒状部１１８の横孔１１８ｂは、キャップ本体１１３の奥部１１３ａから脱出するため、キャップ本体１１３の奥部１１３ａは密閉され、溶剤含浸材１１４からの溶剤の蒸発流出が阻止される。
【００４５】
キャップ１１２が液体容器１４０に被着されているときには、図７に示したように、液体容器１４０の刷毛１６２の先端が内キャップ１２０の内部空間に挿入され、且つ液体容器１４０の外筒１４２が、開閉部材１１９をバネ１２４の付勢力に抗してキャップ本体１１３の奥部１１３ａの方向へと押圧するため、筒状部１１８の横孔１１８ｂが、キャップ本体１１３の奥部１１３ａと連通し、溶剤含浸材１１４からの溶剤蒸気が横孔１１８ｂ、縦孔１１８ｃ及び連通溝１１７ｂによって形成される通路、溶剤通路１２２、内キャップ１２０の開口１２０ｂを通り、液体容器１４０の刷毛１６２へと到達し、刷毛１６２に湿りを与え乾燥を阻止する。このキャップ１１２が液体容器１４０に被着されている状態で、液体容器１４０が不用意に強くノックされて、前記ノックバー１４８の拡径部１４８ａがリブ１４２ａから縮径部１４２ｃへと移動し、刷毛１６２から粘性液が飛び出したとしても、粘性液は内キャップ１２０の内部へと飛散するが、内キャップ１２０の開口１２０ｂは、刷毛１６２の基部付近にあって飛散された粘性液が到達しにくい位置にあるので、開口１２０ｂが塞がれることはない。さらに、開口１２０ｂは、大きな開口面積としておけば、塞がれることはない。こうして、内キャップ１２０の内面に付着して固化することはあっても、上記溶剤通路１２２を塞ぐことはない。
【００４６】
鍔部１１７と筒状部１１８を別体の部品としているため、鍔部１１７を形成する際に、横孔１１８ｂの形成された筒状部１１８の形状に影響を受けることなく、鍔部１１７を割型にせずに成形することができる。これにより、鍔部１１７の外表面にパーティングラインができないため、鍔部１１７が仕切り部材１１６の平坦面１１６ｄに当接したときに、パーティングラインがあることによって意図しない隙間が形成されて溶剤の蒸発流出を引き起こす、といった事態を防ぐことができる。
【００４７】
また、キャップ本体１１３の手前部１１３ｂを奥部１１３ａよりも下側にした状態で、キャップ１１２が液体容器１４０に被着されている場合に、溶剤含浸材１１４の溶剤が下方向に移動して、液体の状態で横孔１１８ｂを通って、仕切り部材１１６よりも手前部１１３ｂへ流れ出すおそれがあるが、突出縁１１６ｂが奥部１１３ａの方へ突出しているため、多くの溶剤は突出縁１１６ｂよりも下方となる突出縁１１６ｂの外周囲で滞留することになり、溶剤液体が流れ出すことはない。
【００４８】
また、鍔部１１７と一体となった筒状部１１８が貫通孔１１６ａを摺動する場合に、径方向のぶれがあったとしても、突出縁１１６ｂには、傾斜面１１６ｃが形成されているため、この傾斜面１１６ｃでその変位を矯正することができ、確実に鍔部１１７を平坦面１１６ｄへと誘導することができる。
【００４９】
また、内キャップ１２０のテーパー部１２０ａは、径方向外方へと広がっているため、キャップ１１２を液体容器１４０へと被着するときに、刷毛１６２にテーパー部１２０ａが干渉して、刷毛１６２を損傷させることを防止することができる。
【００５０】
尚、以上の実施形態では、先端塗布体として刷毛６０、１６２を例にとったが、これに限るものではなく、細管、棒状体であっても、同様に適用可能である。
【００５１】
図１３は、本発明の第３実施形態を表す図である。この例では、第１実施形態で説明した液体容器４０に対して、第２実施形態で説明したキャップ１１２を被着した場合を示している。
【００５２】
この第３実施形態においても、前実施形態で説明したものと同様の作用・効果が得られる。
【００５３】
【発明の効果】
以上説明したように、本発明によれば、キャップが液体容器から取り外されているときには、付勢手段が溶剤流出手段を閉じる方向へ開閉部材を付勢するため、溶剤含浸材からの溶剤の蒸発流出を阻止することができる。一方、キャップが液体容器に被着されているときには、液体容器が前記溶剤流出手段を開く方向に前記開閉部材を押圧するため、溶剤含浸材からの溶剤蒸気が溶剤流出手段、開閉部材と内キャップとの間に形成された溶剤通路、及び内キャップの外面と内面との間に形成された第２溶剤通路を通り、先端塗布体へと到達し、先端塗布体に湿りを与え、先端塗布体の乾燥を阻止することができる。さらにこのときに、先端塗布体が内キャップの内部に挿入されているため、キャップをしたままで先端塗布体から粘性液が飛び出すことがあっても、粘性液は主に内キャップ内へと飛散し、溶剤流出手段、溶剤通路へと到達することはなく、これらを詰まらせることはなく、従って、溶剤蒸気の供給が阻害されることはない。第２溶剤通路は、その通路断面積を大きくとるか、またはその位置を先端塗布体の基部より液体容器側に位置付けることができるため、先端塗布体から飛び出した粘性液で第２溶剤通路を詰まらせることのないようにすることができる。
【００５４】
また、請求項２記載の発明によれば、第２溶剤通路を内キャップの鍔部とすることによって、第２溶剤通路が粘性液で詰まることなく、溶剤含浸材からの溶剤蒸気が溶剤流出手段、開閉部材と内キャップとの間に形成された溶剤通路、及び内キャップの鍔部の周囲を通り、先端塗布体へと到達することができる。
【００５５】
また、請求項３記載の発明によれば、キャップを液体容器の先端部へ被着して、先端塗布体が内キャップ内へ挿入される際に、先端塗布体が内キャップの鍔部に干渉して先端塗布体を損傷させる、といったことを防止することができる。
【００５６】
また、請求項４記載の発明によれば、第２溶剤通路を内キャップの周面に形成された開口とすることによって、第２溶剤通路が粘性液で詰まることなく、溶剤含浸材からの溶剤蒸気が溶剤流出手段、開閉部材と内キャップとの間に形成された溶剤通路、及び内キャップの開口を通り、先端塗布体へと到達することができる。
【００５７】
また、請求項５記載の発明によれば、キャップ本体の手前部を奥部よりも下側にした状態で、キャップが液体容器に被着されている場合に、溶剤含浸材の溶剤が下方向に移動して、液体の状態で筒状部の孔を通って、仕切り部材よりも手前部へ流れ出すおそれがあるが、仕切り部材の突出縁がキャップ本体の奥部の方へ突出しているため、多くの溶剤は突出縁の外周囲で滞留することになり、溶剤液体が流れ出すことはない。
【００５８】
また、請求項６記載の発明によれば、キャップが液体容器に被着されているときには、筒状部の鍔と平坦面とが当接して、キャップ本体の奥部を密閉状態に保ち、且つ筒状部が貫通孔から完全に脱落することを防ぐことができ、また、突出縁に傾斜面が形成されているため、筒状部の鍔が平坦面に接近するときに、傾斜面によって確実に平坦面へと誘導することができる。
【００５９】
また、請求項７記載の発明によれば、筒状部と鍔部とを別体に構成することにより、それぞれの部品の成形性を良くすることができ、簡単に製造することができる。鍔部を、孔の形成された筒状部と別体とすることにより、鍔部の表面にパーティングラインなどが形成されないように成形することができ、鍔部が仕切り部材の突出縁に密着的に当接したときに、溶剤の蒸発流出を引き起こすこととなる意図しない隙間の形成を阻止することができる。
【図面の簡単な説明】
【図１】本発明の液体容器及びキャップの第１実施形態を表す縦断面図である。
【図２】図１のキャップの拡大断面図であり、液体容器に被着されている状態を表す。
【図３】図２の３−３線に沿って見た断面図である。
【図４】図２の４−４線に沿って見た断面図である。
【図５】図２に相当するキャップの拡大縦断面図であり、キャップが液体容器に被着されていない状態を表す。
【図６】図２の６−６線に沿って見た断面図である。
【図７】本発明の液体容器及びキャップの第２実施形態を表す縦断面図である。
【図８】図７のキャップの拡大断面図であり、液体容器に被着されている状態を表す。
【図９】  (ａ)は図７の開閉部材及び筒状部の断面図、（ｂ）は(ａ)のｂ矢視図である。
【図１０】図７の鍔部の(ａ)は側面図、（ｂ）は(ａ)のｂ矢視図、（ｃ）は（ｂ）のｃ−ｃ線に沿って見た断面図である。
【図１１】内キャップの側面図である。
【図１２】図７の外筒の先端部の断面図である。
【図１３】本発明の液体容器及びキャップの第３実施形態を表す縦断面図である。
【符号の説明】
１２  キャップ
１３  キャップ本体
１３ａ  奥部
１３ｂ  手前部
１４  溶剤含浸材
１６  仕切り部材
１６ａ  貫通孔（溶剤流出手段）
１６ｂ  突出縁
１６ｃ  傾斜面
１６ｄ  平坦面
１８  筒状部（溶剤流出手段）
１８ｂ  横孔
１８ｃ  縦孔
１８ｄ  鍔
１９  開閉部材
２０  内キャップ
２０ａ  鍔部
２２  溶剤通路
２４  バネ（付勢手段）
４０  液体容器
６０  刷毛（先端塗布体）
１１２  キャップ
１１３  キャップ本体
１１３ａ  奥部
１１３ｂ  手前部
１１４  溶剤含浸材
１１６  仕切り部材
１１６ａ  貫通孔（溶剤流出手段）
１１６ｂ  突出縁
１１６ｃ  傾斜面
１１６ｄ  平坦面
１１７  鍔部（溶剤流出手段）
１１７ａ  連通溝
１１８  筒状部（溶剤流出手段）
１１８ｂ  横孔
１１８ｃ  縦孔
１１９  開閉部材
１２０  内キャップ
１２０ｂ  開口(第２溶剤通路)
１２２  溶剤通路
１２４  バネ（付勢手段）
１４０  液体容器
１６２  刷毛（先端塗布体）
【図１】
0003662447.tif 000002
【図２】
0003662447.tif 000003
【図３】
0003662447.tif 000004
【図４】
0003662447.tif 000005
【図５】
0003662447.tif 000006
【図６】
0003662447.tif 000007
【図７】
0003662447.tif 000008
【図８】
0003662447.tif 000009
【図９】
0003662447.tif 000010
【図１０】
0003662447.tif 000011
【図１１】
0003662447.tif 000012
【図１２】
0003662447.tif 000013
【図１３】
0003662447.tif 000014